(57)【要約】  【構成】  地上波チューナ１４によって受信される地上ディジタル放送の高周波信号は、複数チャネルの放送番組と番組内容を案内するＥＩＴ基本情報およびＥＩＴ拡張情報とを含む。複数チャネルのうち所望のチャネルを選択する選局操作がリモートコントローラ３６によって受け付けられると、所望のチャネルの放送番組がＮＴＳＣエンコーダ３２によってＴＶモニタに向けて出力される。ＣＰＵ２２は、出力される放送番組の属性（チャネル，セグメント，ジャンル）をＥＩＴ基本情報に基づいて検出し、検出された属性に基づいてＥＩＴ拡張情報の一部をフラッシュメモリ２６に保存する。  【効果】  メモリ容量を抑制することができ、かつ好みの放送番組のＥＩＴ拡張情報を速やかに提示することができる。【選択図】  図１
2006140698.tif 000002
【特許請求の範囲】
【請求項１】
複数チャネルの放送番組と番組内容を案内する基本情報および拡張情報とを含む放送信号を受信する受信手段、
複数チャネルのうち所望のチャネルを選択する選択操作を受け付ける受付手段、
前記受付手段の受付に応答して前記所望のチャネルの放送番組を出力する出力手段、
前記出力手段によって出力される放送番組の属性を前記基本情報に基づいて検出する検出手段、および
前記検出手段によって検出された属性に基づいて拡張情報の一部を保存する保存手段を備える、放送受信機。
【請求項２】
前記保存手段は前記出力手段が出力動作を中断しているときに保存動作を行う、請求項１記載の放送受信機。
【請求項３】
前記属性は前記放送番組のチャネル，放送時間帯およびジャンルの少なくとも１つを含む、請求項１または２記載の放送受信機。
【請求項４】
前記複数チャネルは１つのチャネル群に属し、
前記受信手段は前記選択操作に関連して複数のチャネル群のいずれか１つを選択する選択手段を含む、請求項１ないし３のいずれかに記載の放送受信機。
【請求項５】
前記複数のチャネル群は複数の放送ネットワークにそれぞれ属し、
前記基本情報および前記拡張情報は自分が属するチャネル群の放送番組に対応する、請求項４記載の放送受信機。
【請求項６】
前記受信手段によって受信された放送信号に含まれる拡張情報を前記出力手段の出力動作と並行して抽出する抽出手段をさらに備える、請求項５記載の放送受信機。
【請求項７】
前記複数のチャネル群は単一の放送ネットワークに属し、
前記基本情報は前記複数のチャネル群の放送番組に対応し、
前記拡張情報は自分が属するチャネル群の放送番組に対応する、請求項４記載の放送受信機。
【請求項８】
前記出力手段が出力動作を中断しているときに前記拡張情報を取得する取得手段をさらに備える、請求項７記載の放送受信機。
【発明の詳細な説明】
【技術分野】
【０００１】
この発明は、放送受信機に関し、特にたとえば、複数チャネルの放送番組と番組内容を案内する基本情報および拡張情報とを含む放送信号を受信する、放送受信機に関する。
【背景技術】
【０００２】
従来のこの種の放送受信機の一例が、特許文献１に開示されている。この従来技術によれば、１００チャネル×９時間分のＥＰＧデータが予めメモリに確保される。ＥＰＧボタンが操作されると、メモリに格納されたＥＰＧデータに基づいて、３チャネル×３時間の番組ガイド（基本情報）がモニタに表示される。また、説明ボタンが操作されると、番組ガイド上でカーソルが指向する番組の詳細（拡張情報）がモニタに表示される。
【特許文献１】特開平１１−２１５４４５号公報［H04N 5/445, 7/08, 7/081］
【発明の開示】
【発明が解決しようとする課題】
【０００３】
しかし、予めメモリに確保する情報量を基本情報および拡張情報のいずれについても１００チャネル×９時間分としたのでは、メモリ容量が増大する。ここで、基本情報のみを予めメモリに確保し、拡張情報については説明ボタンの操作に応答して取得動作を実行するようにすれば、メモリ容量を削減できる。しかし、そうすると、拡張情報の表示に時間がかかる。
【０００４】
それゆえに、この発明の主たる目的は、メモリ容量を抑えつつ、必要な拡張情報を速やかに提示することができる、放送受信機を提供することである。
【課題を解決するための手段】
【０００５】
請求項１の発明に従う放送受信機は、複数チャネルの放送番組と番組内容を案内する基本情報および拡張情報とを含む放送信号を受信する受信手段、複数チャネルのうち所望のチャネルを選択する選択操作を受け付ける受付手段、受付手段の受付に応答して所望のチャネルの放送番組を出力する出力手段、出力手段によって出力される放送番組の属性を基本情報に基づいて検出する検出手段、および検出手段によって検出された属性に基づいて拡張情報の一部を保存する保存手段を備える。
【０００６】
放送信号は、複数チャネルの放送番組と番組内容を案内する基本情報および拡張情報とを含む。受信手段は、このような放送信号を受信する。複数チャネルのうち所望のチャネルを選択する選択操作が受付手段によって受け付けられると、所望のチャネルの放送番組が出力手段によって出力される。検出手段は、出力される放送番組の属性を基本情報に基づいて検出する。保存手段は、検出された属性に基づいて拡張情報の一部を保存する。
【０００７】
このように、保存手段によって保存されるのは、一部の拡張情報である。これによって、メモリ容量の抑制が可能となる。また、保存される拡張情報は、選択操作によって選択された放送番組に関連する。これによって、好みの放送番組の拡張情報を速やかに提示することができる。
【０００８】
請求項２の発明に従う放送受信機は、請求項１に従属し、保存手段は出力手段が出力動作を中断しているときに保存動作を行う。これによって、負荷の均一化が図られる。
【０００９】
請求項３の発明に従う放送受信機は、請求項１または２に従属し、属性は放送番組のチャネル，放送時間帯およびジャンルの少なくとも１つを含む。
【００１０】
請求項４の発明に従う放送受信機は、請求項１ないし３のいずれかに従属し、複数チャネルは１つのチャネル群に属し、受信手段は選択操作に関連して複数のチャネル群のいずれか１つを選択する選択手段を含む。
【００１１】
請求項５の発明に従う放送受信機は、請求項４に従属し、複数のチャネル群は複数の放送ネットワークにそれぞれ属し、基本情報および拡張情報は自分が属するチャネル群の放送番組に対応する。
【００１２】
請求項６の発明に従う方送受信機は、請求項５に従属し、受信手段によって受信された放送信号に含まれる拡張情報を出力手段の出力動作と並行して抽出する抽出手段をさらに備える。
【００１３】
請求項７の発明に従う放送受信機は、請求項４に従属し、複数のチャネル群は単一の放送ネットワークに属し、基本情報は複数のチャネル群の放送番組に対応し、拡張情報は自分が属するチャネル群の放送番組に対応する。
【００１４】
請求項８の発明に従う放送受信機は、請求項７に従属し、出力手段が出力動作を中断しているときに拡張情報を取得する取得手段をさらに備える。これによって、全てのチャネルに対応する拡張情報を取得できる。
【発明の効果】
【００１５】
この発明によれば、保存手段によって保存されるのは、一部の拡張情報である。これによって、メモリ容量の抑制が可能となる。また、保存される拡張情報は、選択操作によって選択された放送番組に関連する。これによって、好みの放送番組の拡張情報を速やかに提示することができる。
【００１６】
この発明の上述の目的，その他の目的，特徴および利点は、図面を参照して行う以下の実施例の詳細な説明から一層明らかとなろう。
【発明を実施するための最良の形態】
【００１７】
図１を参照して、この実施例のディジタル放送受信機１０は、地上波チューナ１４を含む。アンテナ１２によって捉えられた地上ディジタル放送の高周波信号は、地上波チューナ１４に与えられる。
【００１８】
地上ディジタル放送におけるトランスポンダとサービスとの関係は、社団法人電波産業会によって策定された“ARIB TR-B14 地上デジタルテレビジョン放送運用規定”に従う。この運用規定によれば、図２に示すように、複数のネットワークが複数のトランスポンダにそれぞれ割り当てられる。複数のトランスポンダの各々は、４つのサービス（編成チャネル）で提供される放送番組のＭＰＥＧデータと全局ＳＩ（SI: Service Information）および各局ＳＩとが多重されたＴＳ（TS: Transport Stream）を変調態様で出力する。なお、各々のＴＳには、識別情報（＝Ｔｓ＿ｉｄ＿＊）が付される。
【００１９】
全局ＳＩは、同じネットワークに属する全てのトランスポンダによって提供される放送番組の配列情報であり、たとえば当日から８日目までの８日分に相当するＥＩＴ基本情報を有する。また、各局ＳＩは、自分のトランスポンダによって提供される放送番組の配列情報であり、たとえば上述の８日分に相当するＥＩＴ拡張情報を有する。
【００２０】
図２によれば、ネットワークおよびトランスポンダは１対１の関係を有する。このため、全局ＳＩおよび各局ＳＩは、いずれも自分のトランスポンダから出力されるサービスに注目する。したがって、地上ディジタル放送に関しては、ＥＩＴ基本情報はEIT[schedule actual basic]と定義でき、ＥＩＴ拡張情報はIT[schedule actual extended]と定義できる。
【００２１】
なお、ＥＩＴ基本情報は、各々の放送番組のチャネルを識別するサービスＩＤ，各々の放送番組の時間帯を識別するセグメントＩＤ，各々の放送番組のイベントを識別するイベントＩＤ，各々の放送番組のジャンル情報が記述されたコンテンツ記述子を含む。また、ＥＩＴ拡張情報は、各々の放送番組の詳細情報を含む。
【００２２】
図１に戻って、地上波チューナ１４は、アンテナ１２から与えられた高周波信号のうち所望のトランスポンダから出力された高周波信号をベースバンド信号に変換する。ベースバンド信号は、ＯＦＤＭ復調回路１６によってＴＳに変換される。デマルチプレクサ１８は、変換されたＴＳをＭＰＥＧデータとＳＩ（全局ＳＩおよび各局ＳＩ）とに分離し、ＭＰＥＧデータをＭＰＥＧデコーダ２０に与える一方、ＳＩをＣＰＵ２２に与える。
【００２３】
ＭＰＥＧデータ２０は、デマルチプレクサ１８から出力されたＭＰＥＧデータをデコードし、番組映像データを加算器３０を介してＮＴＳＣエンコーダ３２に入力する一方、番組音声データを音声処理回路３４に入力する。ＮＴＳＣエンコーダ３２は、入力された番組映像データをコンポジットビデオ信号にエンコードし、エンコードされたコンポジット映像信号をＴＶモニタ（図示せず）に出力する。音声処理回路３４は、入力された番組音声データにＤ／Ａ変換を施し、アナログ音声信号をスピーカ（図示せず）に出力する。この結果、番組映像がＴＶモニタの画面に表示され、番組音声がスピーカから出力される。
【００２４】
なお、キャラクタジェネレータ２８は、リモートコントローラ３６によるＥＰＧ表示操作が行われたときＥＰＧ画面のキャラクタデータを出力し、リモートコントローラ３６による詳細表示操作が行われたとき番組詳細画面のキャラクタデータを出力する。出力されたキャラクタデータは加算器３０によって番組映像データと加算される。この結果、ＥＰＧ画面または番組詳細画面がＴＶモニタから出力される。
【００２５】
ＣＰＵ２２は、デマルチプレクサ１８から与えられた全局ＳＩおよび各局ＳＩに基づく受信制御を実行するべく、図９に示すＥＩＴ取得制御タスク，図１０に示す履歴作成タスク，図１１に示すＥＩＴ基本情報保存タスク，および図１２〜図１３に示すＥＩＴ拡張情報保存タスクを含む複数のタスクを並列的に実行する。
【００２６】
なお、これらのタスクに対応する制御プログラムは、フラッシュメモリ２６に記憶される。また、ＥＩＴ基本情報保存タスクおよびＥＩＴ拡張情報保存タスクは、スタンバイ状態にのみ起動される。さらに、ＥＩＴ基本情報保存タスクが、ＥＩＴ拡張情報保存タスクに優先して実行される。
【００２７】
図９を参照して、ステップＳ１では、ＤＲＡＭ２４に形成されたＴＳ情報領域２４ｔｓおよびＥＩＴフラグ２４ｆを初期化する。ＴＳ情報領域２４ｔｓに格納されたＴＳ情報は初期値（＝Ｔｓ＿ｉｄ＿１）を示し、ＥＩＴフラグ２４ｆはリセットされる。
【００２８】
ステップＳ３では、選局要求が発生したか否かを判断する。ここでＹＥＳであればステップＳ５に進み、選局要求によって要求されたチャネルが属するＴＳの識別情報を取得する。ステップＳ７では、取得された識別情報がＴＳ情報領域２４ｔｓに保存された識別情報と一致するか否かを判断する。ここでＹＥＳであればステップＳ３に戻るが、ＮＯであればステップＳ９以降の処理に進む。
【００２９】
なお、選局要求は、リモートコントローラ３６を用いた選局操作の他に、図１１に示すステップＳ６５の処理によっても発生する。また、選局要求に応じた選局処理は、図示しないタスクによって実行される。
【００３０】
ステップＳ９では、ＴＳ情報領域２４ｔｓに保存された識別情報を新規に取得された識別情報によって更新する。ステップＳ１１ではＥＩＴフラグ２４ｆがセット状態であるか否か判別する。ここでＮＯであればそのままステップＳ１７に進むが、ＹＥＳであれば、ステップＳ１３およびＳ１５でＥＩＴ取得タスク（図示せず）およびＥＩＴ取得タイマ２４ｔｍを停止してからステップＳ１７に進む。ステップＳ１７ではＥＩＴ取得タスクを起動し、ステップＳ１９ではＥＩＴ取得タイマ２４ｔｍを起動し、そしてステップＳ２１ではＥＩＴフラグ２４ｆをセットする。ステップＳ２１の処理が完了すると、ステップＳ３に戻る。
【００３１】
なお、ステップＳ１３およびＳ１５の処理は、地上波チューナ１４からのベースバンド信号の出力が選局動作によって一時的に中断されることを考慮したものである。また、ＥＩＴ取得タスクによって、注目するＴＳに多重された全局ＳＩおよび各局ＳＩからＥＩＴ基本情報およびＥＩＴ拡張情報がそれぞれ抽出される。
【００３２】
さらに、ＥＩＴ取得タイマ２４ｔｍには、ＥＩＴ基本情報およびＥＩＴ拡張情報の各々の再送周期である１８０秒が設定される。この“１８０秒”という数値は、全局ＳＩおよび各局ＳＩの各々を形成するＢＩＴ（Broadcaster Information Table）から検出される。
【００３３】
ステップＳ１９で起動されたＥＩＴ取得タイマ２４ｔｍについてタイムアウトが発生すると、ステップＳ２３でＹＥＳと判断し、ステップＳ２５でＥＩＴ取得タスクを停止する。ステップＳ２７ではＥＩＴ取得フラグをリセットし、その後ステップＳ３に戻る。
【００３４】
図１０を参照して、ステップＳ３１ではＤＲＡＭ２４に形成されたチャネル履歴テーブル２４ｃｈ，セグメント履歴テーブル２４ｓｇ，ジャンル履歴テーブル２４ｃｔおよび番組詳細履歴テーブル２４ｄｔを初期化する。
【００３５】
チャネル履歴テーブル２４ｃｈは、図３に示すように、複数のチャネルにそれぞれ対応する複数のコラムを有する。セグメント履歴テーブル２４ｓｇは、図４に示すように、各々が３時間毎に区切られた８つのセグメント１〜８にそれぞれ対応する８つのコラムを有する。ジャンル履歴テーブル２４ｃｔは、図５に示すように、“映画”，“スポーツ”，“音楽”などの複数のジャンルにそれぞれ対応する複数のコラムを有する。番組詳細履歴テーブル２４ｄｔは、図６に示すように、番組を識別するための情報を格納する複数のコラムが形成される。ステップＳ３１の処理によって、これらのコラムの全てがブランクとされる。
【００３６】
ステップＳ３３では、チャネル履歴情報，セクメント履歴情報，ジャンル履歴情報，または番組詳細履歴情報がフラッシュメモリ２６に存在するか否かを判別する。ここでＮＯであればそのままステップＳ３５に進み、ＹＥＳであればフラッシュメモリ２６に存在する履歴情報をステップＳ３４で読み出す。読み出された履歴情報は、上述の履歴テーブル２４ｃｈ，２４ｓｇ，２４ｃｔまたは２４ｅｘの対応するコラムに書き込まれる。
【００３７】
ステップＳ３５では選局要求が発生したか否かを判別し、ＹＥＳであればこの選局要求が選局操作に起因するか否かをステップＳ３７で判別する。選局操作に起因しなければそのままステップＳ３５に戻り、選局操作に起因すればステップＳ３９〜Ｓ４３を経てステップＳ３５に戻る。
【００３８】
ステップＳ３９では、選局されたチャネルに対応するネットワークＩＤおよびサービスＩＤをＥＩＴ基本情報を参照して検出し、検出されたネットワークＩＤおよびサービスＩＤに対応するコラムをチャネル履歴テーブル２４ｃｈから特定し、そして特定されたコラムの数値をインクリメントする。ステップＳ４１では、現在時刻に対応するコラムをセグメント履歴テーブル２４ｓｇから特定し、特定されたコラムの数値をインクリメントする。ステップＳ４３では、選択されたチャネルで提供される放送番組のジャンルをＥＩＴ基本情報を参照して検出し、検出されたジャンルに対応するコラムをジャンル履歴テーブル２４ｃｔから特定し、そして特定されたコラムの数値をインクリメントする。
【００３９】
ステップＳ４５では詳細表示操作が行われたか否かを判別し、ＹＥＳであれば、ステップＳ４７に進む。ステップＳ４７では、現時点でＴＶモニタから出力されている放送番組に対応するネットワークＩＤ，サービスＩＤ，セグメントＩＤおよびイベントＩＤをＥＩＴ基本情報を参照して検出し、検出されたこれらのＩＤを番組詳細履歴テーブル２４ｄｔに書き込む。ステップＳ４９では番組詳細消去操作が行われたか否かを判断し、ＹＥＳであればステップＳ３５に戻る。
【００４０】
なお、ＥＰＧ表示操作に応答したＥＰＧ画面の出力処理、あるいは詳細表示操作に応答した番組詳細画面の出力処理は、別のタスクによって実行される。また、上述の履歴テーブル２４ｃｈ，２４ｓｇ，２４ｃｔおよび２４ｅｘに書き込まれた数値つまり履歴情報は、別のタスクによって周期的にフラッシュメモリ２６に書き込まれる。
【００４１】
図１１を参照して、ステップＳ５１では、ＥＩＴ基本情報テーブル２６ｂｓをフラッシュメモリ２６に作成する。ステップＳ５３では、変数ＮＷｂｓ＿ｍａｘを受信可能なネットワーク数に設定し、ステップＳ５５では変数ＮＷｂｓを“１”に設定する。ステップＳ５７では、ＥＩＴ基本情報を同一日にフラッシュメモリ２６に保存した実績があるか否かを判別する。ここでＹＥＳであればステップＳ５９に進み、変数ＮＷｂｓをインクリメントする。ステップＳ６１では変数ＮＷｂｓが変数ＮＷｂｓ＿ｍａｘを上回るか否かを判別し、ＮＯであればステップＳ５７に戻るが、ＹＥＳであれば処理を終了する。
【００４２】
ステップＳ５７でＮＯであれば、変数ＮＷｂｓに対応するネットワークで取得できるＥＩＴ基本情報がＤＲＡＭ２４に存在するか否かをステップＳ６３で判別する。ここでＹＥＳであればステップＳ７１に進み、このＥＩＴ基本情報をステップＳ５１で作成されたＥＩＴ基本情報テーブル２６ｂｓの対応するコラムに保存する。保存されるＥＩＴ基本情報には、日付情報が割り当てられる。これによって、ステップＳ５７の判別処理が可能となる。保存処理が完了すると、ステップＳ５９に進む。
【００４３】
ステップＳ６３でＮＯであれば、ステップＳ６５に進む。ステップＳ６５では、変数ＮＷｂｓに対応するネットワークに属するチャネルのいずれか１つを選択し、選択されたチャネルを選局するための選局要求を発行する。これによって、図９に示すステップＳ３でＹＥＳと判断され、ＥＩＴ取得タスクが起動する。ＥＩＴ取得タスクの起動によって、注目するネットワークのＥＩＴ基本情報がＤＲＡＭ２４に確保される。ステップＳ６７では全局ＳＩの再送周期である１８０秒にわたって待機し、その後、ステップＳ６９でステップＳ６３と同様の処理を実行する。ここでＮＯであればステップＳ５９に進むが、ＹＥＳであればステップＳ７１に進む。
【００４４】
なお、ステップＳ６９の判断は、受信障害に起因するタスクエラーの発生を回避するための処理である。
【００４５】
図１２を参照して、ステップＳ８１では、ＥＩＴ拡張情報テーブル２６ｅｘをフラッシュメモリ２６に作成する。ステップＳ８３では、変数ＮＷｅｘ＿ｍａｘを受信可能なネットワーク数に設定し、ステップＳ８５では変数ＮＷｅｘを“１”に設定する。ステップＳ８７では、ＤＲＡＭ２４に形成された保存用バッファ２４ｂｆを初期化し、ステップＳ８９では変数ＮＷｅｘに対応するネットワークで提供されるサービスの数を変数ＳＶｍａｘに設定する。ステップＳ９１では変数ＳＶを“１”に設定し、ステップＳ９３では変数ＳＧを“１”に設定する。
【００４６】
なお、変数ＳＧには、セグメント番号が設定される。ＥＩＴ拡張情報は８日分の情報量を有するため、変数ＳＧを“６４”まで更新することで８日分のセグメントの全てを指定することができる。
【００４７】
ステップＳ９５では、変数ＮＷｅｘ，ＳＶおよびＳＧに対応するＥＩＴ拡張情報をＤＲＡＭ２４から検出する。ステップＳ９７では、検出されたＥＩＴ拡張情報が保存条件に合致するか否かを判別する。この判別処理には、図１０に示す履歴作成タスクによって作成された履歴情報が利用される。
【００４８】
注目するＥＩＴ拡張情報がチャネル履歴情報において“５”以上の数値が割り当てられたチャネルに対応する場合、注目するＥＩＴ拡張情報がセグメント履歴情報において“５”以上の数値が割り当てられたセグメントと同じセグメントに対応する場合、または注目するＥＩＴ拡張情報がジャンル履歴情報において“５”以上の数値が割り当てられたジャンルと同じジャンルに対応する場合、ステップＳ９７の判別結果がＹＥＳとなる。また、注目するＥＩＴ拡張情報が番組詳細履歴情報のいずれかの履歴と合致するときも、ステップＳ９７の判別結果はＹＥＳとなる。
【００４９】
ステップＳ９７でＮＯであればそのままステップＳ１０１に進むが、ステップＳ９７でＹＥＳであればステップＳ９９で注目するＥＩＴ拡張情報を保存用バッファ２４ｂｆに転送してからステップＳ１０１に進む。
【００５０】
ステップＳ１０１では変数ＳＧをインクリメントし、ステップＳ１０３では変数ＳＧが“６４”を上回るか否かを判別する。ここでＮＯであればステップＳ９５に戻り、ＹＥＳであればステップＳ１０５で変数ＳＶをインクリメントする。ステップＳ１０７では変数ＳＶが変数ＳＶｍａｘを上回るか否かを判別し、ＮＯであればステップＳ８７に戻る一方、ＹＥＳであればステップＳ１０９に進む。
【００５１】
ステップＳ１０９では、保存用バッファ２４ｂｆにＥＩＴ拡張データが存在するか否かを判別する。ここでＮＯであればそのままステップＳ１１３に進むが、ＹＥＳであればステップＳ１１１でＥＩＴ拡張情報を保存用バッファ２４ｂｆからＥＩＴ拡張情報テーブル２６ｅｘに転送した後にステップＳ１１３に進む。ステップＳ１１３では変数ＮＷｅｘをインクリメントし、ステップＳ１１５では変数ＮＷｅｘを変数ＮＷｅｘ＿ｍａｘと比較する。ＮＷｅｘ≦ＮＷｅｘ＿ｍａｘであればステップＳ８７に戻り、ＮＷｅｘ＞ＮＷｅｘ＿ｍａｘであれば処理を終了する。
【００５２】
以上の説明から分かるように、地上波チューナ１４によって受信される地上ディジタル放送の高周波信号は、複数チャネルの放送番組と番組内容を案内するＥＩＴ基本情報およびＥＩＴ拡張情報とを含む。複数チャネルのうち所望のチャネルを選択する選局操作がリモートコントローラ３６によって受け付けられると、所望のチャネルの放送番組がＮＴＳＣエンコーダ３２によってＴＶモニタに向けて出力される。ＣＰＵ２２は、出力される放送番組の属性（チャネル，セグメント，ジャンル）をＥＩＴ基本情報に基づいて検出し (S39-S43)、検出された属性に基づいてＥＩＴ拡張情報の一部をフラッシュメモリ２６に保存する(S111)。
【００５３】
このように、フラッシュメモリ２６に保存されるのは、一部のＥＩＴ拡張情報である。これによって、メモリ容量の抑制が可能となる。また、保存されるＥＩＴ拡張情報は、選択操作によって選択された放送番組に関連する。これによって、好みの放送番組のＥＩＴ拡張情報を速やかに提示することができる。
【００５４】
図１４を参照して、他の実施例の放送受信機１０は、ＢＳディジタル放送を受信する受信機であり、図１に示す地上波チューナ１４およびＯＦＤＭ復調回路１６の代わりにＢＳチューナ３８，ＰＳＫ復調回路４０およびデスクランブラ４２を適用する点を除き、図１に示す放送受信機１０と同じ構成を有する。
【００５５】
また、ＢＳディジタル放送におけるトランスポンダとサービスとの関係は、社団法人電波産業会によって策定された“ARIB TR-B15 ＢＳデジタル放送運用規定”に従う。
【００５６】
この運用規定によれば、図１５に示すように、複数のトランスポンダが１つのネットワークに属する。複数のトランスポンダの各々は、図１実施例と同様、４つのサービスで提供される放送番組のＭＰＥＧデータと全局ＳＩおよび各局ＳＩとが多重されたＴＳを変調態様で出力する。また、各々のＴＳには、識別情報（＝Ｔｓ＿ｉｄ＿＊）が付される。
【００５７】
図１実施例と同様、全局ＳＩは、同じネットワークに属する全てのトランスポンダによって提供される放送番組の配列情報であり、たとえば当日から８日目までの８日分に相当するＥＩＴ基本情報を有する。また、各局ＳＩは、自分のトランスポンダによって提供される放送番組の配列情報であり、たとえば上述の８日分に相当するＥＩＴ拡張情報を有する。
【００５８】
ただし、ネットワークとトランスポンダとの対応関係が図１実施例と異なるため、各局ＳＩは自分のトランスポンダから出力されるサービスに注目する一方、全局ＳＩは自分のトランスポンダおよび別のトランスポンダから出力されるサービスに注目する。したがって、ＢＳディジタル放送に関しては、自分のトランスポンダのサービスに対応するＥＩＴ基本情報をEIT[schedule actual basic]と定義し、別のトランスポンダのサービスに対応するＥＩＴ基本情報をEIT[schedule other basic]と定義する。また、ＥＩＴ拡張情報はIT[schedule actual extended]と定義する。
【００５９】
しかし、ＥＩＴ取得タスクは、現時点で選局されているチャネルが属するＴＳからしかＥＩＴ基本情報およびＥＩＴ拡張情報を抽出しない。さらに、図１５によれば、各々のＴＳに割り当てられるＥＩＴ拡張情報は、全ＥＩＴ拡張情報の一部に過ぎない。そこで、この実施例では、ＣＰＵ２２が図１６に示すＥＩＴ拡張情報取得タスクをさらに実行するようにしている。なお、このＥＩＴ拡張情報取得タスクは、スタンバイ状態で起動される。
【００６０】
図１６を参照して、ステップＳ１２１では変数ＮＷ＿ｍａｘを受信可能なネットワーク数（＝１）に設定し、ステップＳ１２３では変数ＮＷを“１”に設定する。ステップＳ１２５では変数ＮＷに対応するネットワークで提供されるＴＳの最大数を変数Ｔｓ＿ｍａｘに設定し、ステップＳ１２７では変数Ｔｓを“１”に設定する。
【００６１】
ステップＳ１２９では、変数Ｔｓに属するチャネルのいずれか１つを選局するための選局要求を発行し、ステップＳ１３１では各局ＳＩの再送周期に相当する１８０秒にわたって待機する。選局要求の発行によってＥＩＴ取得タスクが起動し、変数Ｔｓに対応するＴＳに多重された全局ＳＩおよび各局ＳＩが検出される。ステップＳ１３３では変数Ｔｓをインクリメントし、ステップＳ１３５では変数Ｔｓが変数Ｔｓ＿ｍａｘを上回るか否かを判別する。
【００６２】
ここでＮＯであればステップＳ１２９に戻り、ＹＥＳであればステップＳ１３７で変数ＮＷをインクリメントする。ステップＳ１３９では変数Ｔｓが変数Ｔｓ＿ｍａｘを上回るか否かを判別し、ＮＯであればステップＳ１２５に戻る一方、ＹＥＳであれば処理を終了する。
【００６３】
このようなＥＩＴ拡張情報取得タスクによって、不要なＥＩＴ基本情報を繰り返し取得する無駄な動作が含まれるものの、必要なＥＩＴ拡張情報の全てを取得することができる。
【００６４】
この実施例でも、フラッシュメモリ２６に保存されるのは一部のＥＩＴ拡張情報であり、メモリ容量の抑制が可能となる。また、保存されるＥＩＴ拡張情報は視聴された放送番組に関連するため、好みの放送番組のＥＩＴ拡張情報を速やかに提示することができる。
【００６５】
なお、上述の実施例では、地上ディジタル放送およびＢＳディジタル放送の受信機についてのみ説明したが、図１４に示すＢＳチューナおよびＰＳＫ復調回路４０をＣＳチューナおよびＱＰＳＫ復調回路に置換すれば、１１０°ＣＳディジタル放送を受信する受信機が実現される。
【図面の簡単な説明】
【００６６】
【図１】この発明の一実施例の構成を示すブロック図である。
【図２】図１実施例の動作の一部を示す図解図である。
【図３】図１実施例に適用されるチャネル履歴テーブルの一例を示す図解図である。
【図４】図１実施例に適用されるセグメント履歴テーブルの一例を示す図解図である。
【図５】図１実施例に適用されるカテゴリ履歴テーブルの一例を示す図解図である。
【図６】図１実施例に適用される番組詳細履歴テーブルの一例を示す図解図である。
【図７】図１実施例に適用されるＥＩＴ基本情報テーブルの一例を示す図解図である。
【図８】図１実施例に適用されるＥＩＴ拡張情報テーブルの一例を示す図解図である。
【図９】図１実施例の動作の一部を示すフロー図である。
【図１０】図１実施例の動作の他の一部を示すフロー図である。
【図１１】図１実施例の動作のその他の一部を示すフロー図である。
【図１２】図１実施例の動作のさらにその他の一部を示すフロー図である。
【図１３】図１実施例の動作の他の一部を示すフロー図である。
【図１４】この発明の他の実施例の構成を示すブロック図である。
【図１５】図１４実施例の動作の一部を示す図解図である。
【図１６】図１４実施例の動作の一部を示すフロー図である。
【符号の説明】
【００６７】
１０  …放送受信機
１４  …地上波チューナ
２２  …ＣＰＵ
２４  …ＤＲＡＭ
２４ｔｓ  …ＴＳ情報領域
２４ｆ  …ＥＩＴフラグ
２４ｔｍ  …ＥＩＴ取得タイマ
２４ｃｈ  …チャネル履歴テーブル
２４ｓｇ  …セグメント履歴テーブル
２４ｃｔ  …ジャンル履歴テーブル
２４ｄｔ  …番組詳細履歴テーブル
２４ｂｆ  …保存用バッファ
２６  …フラッシュメモリ
２６ｂｓ  …ＥＩＴ基本情報テーブル
２６ｅｘ  …ＥＩＴ拡張情報テーブル
３４  …ＢＳチューナ
【図１】
2006140698.tif 000003
【図２】
2006140698.tif 000004
【図３】
2006140698.tif 000005
【図４】
2006140698.tif 000006
【図５】
2006140698.tif 000007
【図６】
2006140698.tif 000008
【図７】
2006140698.tif 000009
【図８】
2006140698.tif 000010
【図９】
2006140698.tif 000011
【図１０】
2006140698.tif 000012
【図１１】
2006140698.tif 000013
【図１２】
2006140698.tif 000014
【図１３】
2006140698.tif 000015
【図１４】
2006140698.tif 000016
【図１５】
2006140698.tif 000017
【図１６】
2006140698.tif 000018